【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】  電気音響変換器（１０）であって、
間にギャップ（２８）を画定する対向面の組（（２７、２９）もしくは（２５、２９ａ））を有する磁気伝導性の物質（２１、２２、２３）からなる磁気回路（２０）であって、該磁気回路（２０）は前記ギャップ（２８）に磁界を有する磁石（２６）を備え、該磁石（２６）は、前記対応面の１つを構成する表面（２９もしくは２９ａ）を有する磁気回路（２０）と、
実質的に平らな振動板（４０）と、
該実質的に平らな振動板（４０）に固定された導電性経路を有するコイル（３０）であって、該コイル（３０）は、前記ギャップ（２８）に位置する経路部分（３４）を有するコイル（３０）と、を備え、
前記磁気伝導性の物質（２１、２２、２３）は、前記対向面の組（（２７、２９）もしくは（２５、２９ａ））の各間に、閉磁路を画定し、前記閉磁路は、前記実質的に平らな振動板（４０）に実質的に平行である平面上に伸びる電気音響変換器。
【請求項２】  請求項１に記載の変換器（１０）であって、前記磁気回路（２０）は、第１および第２のギャップ（２８）を画定する２組の対抗面（（２７、２９）もしくは（２５、２９ａ））を有し、前記コイル（３０）は、前記第１および第２のギャップ（２８）のそれぞれ１つに位置する経路の第１および第２のギャップ部分（３４）と、該第１および第２のギャップ部分（３４）と相互接続する経路の架設部分（３５）と、を有し、前記コイル（３０）は、前記架設部分（３５）において前記振動板（４０）と固定される変換器。
【請求項３】  請求項２に記載の変換器（１０）であって、前記対向面の組（（２７、２９）もしくは（２５、２９ａ））のそれぞれは、互いに実質的に平行である実質的な平面である変換器。
【請求項４】  請求項２または３に記載の変換器（１０）であって、前記磁気回路（２０）は、その内部に２つの開口部（２４）を有する軟磁性の物質（２１、２２、２３）の本体を有する変換器。
【請求項５】  請求項４に記載の変換器（１０）であって、磁石（２６）が前記開口部（２４）に位置し、軟磁性の物質の本体の内側脚部（２７）の表面と磁石（２９）の表面との間にギャップ（２８）を形成するよう前記磁石（２６）が軟磁性の物質（２１、２２、２３）の本体の外側脚部（２１）に取り付けられる変換器。
【請求項６】  請求項４に記載の変換器（１０）であって、磁石（２６）が前記開口部（２４）に位置し、軟磁性の物質の本体の外側脚部（２５）の表面と磁石（２９ａ）の表面との間にギャップ（２８）を形成するよう前記磁石（２６）が軟磁性の物質（２１、２２、２３）の本体の外側脚部（２３）に取り付けられる変換器。
【請求項７】  請求項４〜６のいずれか一項に記載の変換器（１０）であって、前記磁気回路（２０）の前記開口部（２４）が貫通している変換器。
【請求項８】  請求項２〜７のいずれか一項に記載の変換器（１０）であって、架設部分（３５）は、前記振動板（４０）に前記コイル（３０）を固定する実質的に平面を有する架設面を画定し、ギャップ部分（３４）のそれぞれは、前記架設面に実質的に平行な複数の導電性セグメントを備える変換器。
【請求項９】  請求項８に記載の変換器（１０）であって、前記ギャップ部分（３４）において前記導電性セグメントは実質的に直線である変換器。
【請求項１０】  請求項１〜９のいずれか一項に記載の変換器（１０）であって、前記コイル（３０）は、巻かれた導電性ワイヤによって形成される変換器。
【請求項１１】  請求項１〜９のいずれか一項に記載の変換器（１０）であって、前記コイル（３０）は、フレックスプリントのような柔軟性のある回路ボード上に形成された導電性経路によって形成される変換器。
【請求項１２】  請求項１〜１１のいずれか一項に記載の変換器（１０）であって、前記磁気回路（２０）を収容するケース（５０）を備え、該ケース（５０）は、２組のエッジによって確定される長方形状の開口部を備え、前記実質的に平らな振動板（４０）は、前記長方形状の開口部を少なくとも部分的にカバーするよう前記ケース（５０）に取り付けられる変換器。
【請求項１３】  請求項１２に記載の変換器（１０）であって、前記実質的に平らな振動板（４０）は、前記ケース（５０）の前記長方形状の開口部をカバーするような長方形状を有する変換器。
【請求項１４】  請求項１２に記載の変換器（１０）であって、前記実質的に平らな振動板（４０）は、前記ケース（５０）の２組のエッジのうち１つに取り付けられる変換器。
【請求項１５】  請求項１２に記載の変換器（１０）であって、前記実質的に平らな振動板（４０）は、前記ケース（５０）の両方の組のエッジに取り付けられる変換器。
【請求項１６】  電気音響変換器（１０）であって、
ギャップ（２８）に磁界を有する磁石（２６）を備える磁気回路（２０）と、
導電性を有する部分（４１）を備える実質的に平らな振動板（４０）と、
該実質的に平らな振動板（４０）に固定されたコイル（３０）であって、前記コイル（３０）は、前記実質的に平らな振動板（４０）の前記導電性を有する部分（４１）に電気的に接続される導電性経路の終端（３１）を有し、前記導電性を有する部分（４１）は、前記変換器を電気的に終端するための外部からアクセス可能な部分をさらに有する変換器。
【請求項１７】  請求項１６に記載の変換器（１０）であって、前記コイル（３０）は、前記振動板（４０）に前記コイル（３０）を固定する実質的に平面を有する架設面を画定する架設部分（３５）と、前記架設面に実質的に平行な複数の導電性セグメントを備える前記架設面の外側にあるギャップ部分（３４）と、を備える変換器。
【請求項１８】  請求項１７に記載の変換器（１０）であって、前記ギャップ部分（３４）において前記導電性セグメントは実質的に直線である変換器。
【請求項１９】  請求項１６〜１８のいずれか一項に記載の変換器（１０）であって、前記コイル（３０）は、巻かれた導電性ワイヤによって形成される変換器。
【請求項２０】  請求項１６〜１８のいずれか一項に記載の変換器（１０）であって、前記コイル（３０）は、フレックスプリントのような柔軟性のある回路ボード上に形成された導電性経路によって形成される変換器。
【請求項２１】  請求項１６〜２０のいずれか一項に記載の変換器（１０）であって、磁気伝導性の物質の対向面の組（（２７、２９）が前記ギャップ（２８）を画定し、前記磁石（２６）は前記対応面の１つを構成する表面（２９もしくは２９ａ）を有し、前記磁気伝導性の物質中の閉磁路は、前記実質的に平らな振動板（４０）によって確定される平面に実質的に平行である平面を確定する変換器。
【請求項２２】  請求項１６〜２１のいずれか一項に記載の変換器（１０）であって、前記磁気回路（２０）は、第１および第２のギャップ（２８）を画定する２組の対抗面（（２７、２９）もしくは（２５、２９ａ））を有し、前記コイル（３０）は、前記第１および第２のギャップ（２８）のそれぞれ１つに位置する経路の第１および第２のギャップ部分（３４）と、該第１および第２のギャップ部分（３４）と相互接続する経路の架設部分（３５）と、を有し、前記コイル（３０）は、前記架設部分（３５）において前記振動板（４０）と固定される変換器。
【請求項２３】  請求項２２に記載の変換器（１０）であって、前記対向面の組（（２７、２９）もしくは（２５、２９ａ））のそれぞれは、互いに実質的に平行である実質的な平面である変換器。
【請求項２４】  請求項２２または２３に記載の変換器（１０）であって、前記磁気回路（２０）は、その内部に２つの開口部（２４）を有する軟磁性の物質（２１、２２、２３）の本体を有する変換器。
【請求項２５】  請求項２４に記載の変換器（１０）であって、軟磁性の物質の本体の内側脚部（２７）の表面と磁石（２９）の表面との間にギャップ（２８）を形成するよう各前記磁石（２６）が軟磁性の物質（２１）に取り付けられる変換器。
【請求項２６】  請求項２４に記載の変換器（１０）であって、軟磁性の物質の本体の内側脚部（２５）の表面と磁石（２９ａ）の表面との間にギャップ（２８）を形成するよう各前記磁石（２３）が取り付けられる変換器。
【請求項２７】  請求項２４〜２６のいずれか一項に記載の変換器（１０）であって、前記磁気回路（２０）の前記開口部（２４）が貫通している変換器。
【請求項２８】  請求項１６〜２７のいずれか一項に記載の変換器（１０）であって、前記磁気回路（２０）を収容するケース（５０）を備え、該ケース（５０）は、２組のエッジによって確定される長方形状の開口部を備え、前記実質的に平らな振動板（４０）は、前記長方形状の開口部を少なくとも部分的にカバーするよう前記ケース（５０）に取り付けられる変換器。
【請求項２９】  請求項２８に記載の変換器（１０）であって、前記実質的に平らな振動板（４０）は、前記ケース（５０）の前記長方形状の開口部をカバーするような長方形状を有する変換器。
【請求項３０】  請求項２８に記載の変換器（１０）であって、前記実質的に平らな振動板（４０）は、前記ケース（５０）の２組のエッジのうち１つに取り付けられる変換器。
【請求項３１】  請求項２８に記載の変換器（１０）であって、前記実質的に平らな振動板（４０）は、前記ケース（５０）の両方の組のエッジに取り付けられる変換器。
【請求項３２】  電気音響変換器コイル（３０）であって、
前記振動板（４０）に前記コイル（３０）を固定する実質的に平面を有する架設面を画定する架設部分（３５）と、
前記架設面に実質的に平行な複数の導電性セグメントをそれぞれが備える前記架設面の外側にあるギャップ部分（３４）と、を備える電気音響変換器コイル。
【請求項３３】  請求項３２に記載の電気音響変換器コイル（３０）であって、前記ギャップ部分（３４）において導電性コイルセグメントは実質的に直線である電気音響変換器コイル。
【請求項３４】  請求項３２または３３に記載の電気音響変換器コイル（３０）であって、前記コイル（３０）は、巻かれた導電性ワイヤによって形成される電気音響変換器コイル。
【請求項３５】  請求項３２または３３に記載の電気音響変換器コイル（３０）であって、前記コイル（３０）は、フレックスプリントのような柔軟性のある回路ボード上に形成された導電性経路によって形成される電気音響変換器コイル。
【請求項３６】  請求項３２〜３５のいずれか一項に記載の電気音響変換器コイル（３０）であって、前記ギャップ部分（３４）は、実質的に平らであり、前記架設面に実質的に垂直な平面を確定する電気音響変換器コイル。
【請求項３７】  導電性ワイヤから電気音響変換器コイル（３０）を製造する方法であって、該方法は、
導電性ワイヤから、コイル軸を画定するコイルを生成するステップと、
前記コイル軸に垂直な２つの折り曲げ軸（３３）を囲むように前記コイル（３０）を折り曲げるステップと、を備える方法。
【請求項３８】  前記２つの折り曲げ軸（３３）は、互いに実質的に平行であり、間があけられる請求項３７に記載の方法。
【請求項３９】  前記コイルを生成するステップは、ラッカーを表面層に用いて互いに電気的に絶縁される複数ターンを有する導電性ワイヤを巻くステップを備える請求項３７に記載の方法。
【請求項４０】  前記巻くステップは、巻いている間に前記コイルの温度を高めるよう、前記導電性ワイヤと前記コイルとを加熱することを備える請求項３９に記載の方法。
【請求項４１】  前記コイルは、概ね長方形の開口部と、角が丸みを帯びた概ね長方形の外輪郭と、を有するコイルを形成するように、概ね長方形の断面を軸にして巻かれる請求項３９または４０に記載の方法。
【請求項４２】  前記コイルは、内輪郭と外輪郭との間の半径方向の幅より小さい厚さを有する請求項４１に記載の方法。
【請求項４３】  前記コイルは、内輪郭と外輪郭との間の半径方向の幅の１０〜３０％の範囲内にある請求項４２に記載の方法。
【請求項４４】  前記コイルを折り曲げるステップは、前記コイルの温度をまだ高めている間に行われる請求項４０に記載の方法。